(57)【要約】【課題】１つの照射装置に対する光量の調節をしなくてもうっ血状態のレベルに応じた脈波の測定をする。【解決手段】第１照射部１７ａおよび第２照射部１７ｂ（照射部１７）は、脈波を測定する測定部位にそれぞれ決められた光量の光を照射するように配置されている。記憶部１２は、うっ血のレベルに対応付けて照射部１７を記憶する。測定部１５は、光が照射された測定部位を透過または反射した光を用いて脈波を測定する。制御部１１は、判定部１１１として機能し、測定部位のうっ血のレベルを判定する。また、制御部１１は、選択部１１２として機能し、判定部１１１が判定したうっ血のレベルに対応付けて記憶部１２に記憶された照射部１７を選択して、その照射部１７に測定部位への光の照射をさせる。【選択図】図１
2013118922.tif 000002
【特許請求の範囲】
【請求項１】
脈波を測定する測定部位に決められた光量の光をそれぞれ照射するように配置された複数の照射部と、
うっ血のレベルに対応付けて照射部を記憶する記憶部と、
光が照射された前記測定部位を透過または反射した光を用いて脈波を測定する測定部と、
前記測定部位のうっ血のレベルを判定する判定部と、
前記判定部が判定した前記うっ血のレベルに対応付けて前記記憶部に記憶された照射部を選択する選択部と、
前記選択部により選択された前記照射部に前記測定部位への光の照射をさせる第１のスイッチと
を具備することを特徴とする測定装置。
【請求項２】
前記複数の照射部は、それぞれ照射する光量が異なり、
前記選択部は、前記判定部により判定された前記うっ血のレベルが高いほど、照射する光量が多い照射部を選択する
ことを特徴とする請求項１に記載の測定装置。
【請求項３】
前記測定部を複数具備し、
前記記憶部は、前記うっ血のレベルに対応付けて前記照射部と前記測定部との組み合わせを記憶し、
前記選択部は、前記判定部が判定した前記うっ血のレベルに対応付けて前記記憶部に記憶された前記組み合わせの照射部を選択するとともに、当該組み合わせの測定部を選択し、
前記選択部により選択された前記測定部により前記脈波を測定させる第２のスイッチを備える
ことを特徴とする請求項１または２に記載の測定装置。
【請求項４】
前記複数の照射部は、照射する光が前記測定部位を介して前記測定部に至るまでの各距離を等しくするように配置されている
ことを特徴とする請求項１または２に記載の測定装置。
【請求項５】
前記判定部は、前記測定部により測定された脈波のパターンと、予め定められた脈波のパターンとを比較して、当該比較した結果に基づいて前記うっ血のレベルを判定する
ことを特徴とする請求項１から４のいずれか１項に記載の測定装置。
【請求項６】
前記判定部は、前記測定部位の動作を検知して、当該検知した動作に基づいて前記うっ血のレベルを判定する
ことを特徴とする請求項１から４のいずれか１項に記載の測定装置。
【請求項７】
脈波を測定する測定部位に決められた光量の光をそれぞれ照射するように配置された複数の照射部と、
うっ血のレベルに対応付けて照射部を記憶する記憶部と、
光が照射された前記測定部位を透過または反射した光を用いて脈波を測定する測定部と、
選択された照射部に前記測定部位への光の照射をさせる第１のスイッチと
を具備する測定装置を制御するコンピューターを、
前記測定部位のうっ血のレベルを判定する判定部と、
前記判定部が判定した前記うっ血のレベルに対応付けて前記記憶部に記憶された照射部を選択する選択部
として機能させるためのプログラム。
【発明の詳細な説明】
【技術分野】
【０００１】
本発明は、脈波の測定装置に関する。
【背景技術】
【０００２】
生体の循環器機能を測定する医療用測定機器として脈波を測定する測定装置がある。脈波とは、心臓の拍動に伴う末梢血管系内の血圧・体積の変化である。この脈波による血管内の圧力変化を捕らえたものが圧脈波であり、血管の容量変化を捕らえたものが容量脈波である。光を用いて容量脈波を測定する測定装置を、光電式容量脈波測定装置という。この原理は、以下の通りである。
【０００３】
血中ヘモグロビンは、ある波長帯の光に強い吸収スペクトルを持っている。この波長帯の光を照射した時の生体の透過光や反射光は、血管の容量変動に伴い変化するヘモグロビン量に応じて変化するので、この透過光や反射光の強度を電気信号に変えて脈波を測定することが可能である。
【０００４】
ところで、生体の脈波を測定する場合、測定部位の動作（以下、体動という）によって測定結果にノイズ（以下、体動ノイズという）が生じることがある。体動ノイズは測定部位の加圧・減圧状態や、発光素子・受光素子と生体との位置関係等が、体動によって変化し、測定される反射光の方向や量に影響するために生じる。体動ノイズを低減させるための技術として、特許文献１には、うっ血状態を回避するような構造を持つ脈波センサーが開示されている。
【先行技術文献】
【特許文献】
【０００５】
【特許文献１】特開２００２−２２４０６４号公報
【発明の概要】
【発明が解決しようとする課題】
【０００６】
しかしながら、特許文献１に開示された圧脈波センサーでは、測定部位を含む腕を垂らす姿勢を長時間続けるような場合に、重力により血液が測定部位の周辺に滞り、うっ血状態になるのを防ぐことができないという問題がある。
【０００７】
一方、うっ血状態であると判断された場合に、照射装置に供給する電力を増加させてその照射装置から照射される光の量を増やすことも考えられる。しかしこの場合、光量の調節のためにフィードバック制御が必要であり回路が単純化し難いことと、回路自体がノイズを発生するのでそのノイズを除去しなければならないことなどが問題となる。
【０００８】
本発明は、１つの照射装置に対する光量の調節をしなくてもうっ血状態のレベルに応じた脈波の測定をすることを目的とする。
【課題を解決するための手段】
【０００９】
上述した課題を解決するため、本発明に係る測定装置は、脈波を測定する測定部位に決められた光量の光をそれぞれ照射するように配置された複数の照射部と、うっ血のレベルに対応付けて照射部を記憶する記憶部と、光が照射された前記測定部位を透過または反射した光を用いて脈波を測定する測定部と、前記測定部位のうっ血のレベルを判定する判定部と、前記判定部が判定した前記うっ血のレベルに対応付けて前記記憶部に記憶された照射部を選択する選択部と、前記選択部により選択された前記照射部に前記測定部位への光の照射をさせる第１のスイッチとを具備することを特徴とする。
この構成によれば、１つの照射装置に対する光量の調節をしなくてもうっ血状態のレベルに応じた脈波の測定をすることができる。
【００１０】
好ましくは、上述の態様において、前記複数の照射部は、それぞれ照射する光量が異なり、前記選択部は、前記判定部により判定された前記うっ血のレベルが高いほど、照射する光量が多い照射部を選択するとよい。
この構成によれば、うっ血状態のレベルが高いほど測定する光量を多くすることができる。
【００１１】
好ましくは、上述の態様において、前記測定部を複数具備し、前記記憶部は、前記うっ血のレベルに対応付けて前記照射部と前記測定部との組み合わせを記憶し、前記選択部は、前記判定部が判定した前記うっ血のレベルに対応付けて前記記憶部に記憶された前記組み合わせの照射部を選択するとともに、当該組み合わせの測定部を選択し、前記選択部により選択された前記測定部により前記脈波を測定させる第２のスイッチを備えるとよい。
この構成によれば、この構成を用いない場合に比べて、うっ血状態に関し、多くのレベルに対応することができる。
【００１２】
好ましくは、上述の態様において、前記複数の照射部は、照射する光が前記測定部位を介して前記測定部に至るまでの各距離を等しくするように配置されているようにしてもよい。
この構成によれば、照射部から測定部位を介して測定部に至るまでの距離が異なることによる誤差を低減することができる。
【００１３】
好ましくは、上述の態様において、前記判定部は、測定部により測定された脈波のパターンと、予め定められた脈波のパターンとを比較して、当該比較した結果に基づいて前記うっ血のレベルを判定するようにしてもよい。
この構成によれば、測定される脈波からうっ血のレベル判定することができる。
【００１４】
好ましくは、上述の態様において、前記判定部は、前記測定部位の動作を検知して、当該検知した動作に基づいて前記うっ血のレベルを判定するようにしてもよい。
この構成によれば、測定部位の動作に基づいてうっ血のレベルを判定することができる。
【００１５】
また、上述した課題を解決するため、本発明に係るプログラムは、脈波を測定する測定部位に決められた光量の光をそれぞれ照射するように配置された複数の照射部と、うっ血のレベルに対応付けて照射部を記憶する記憶部と、光が照射された前記測定部位を透過または反射した光を用いて脈波を測定する測定部と、選択された照射部に前記測定部位への光の照射をさせる第１のスイッチとを具備する測定装置を制御するコンピューターを、前記測定部位のうっ血のレベルを判定する判定部と、前記判定部が判定した前記うっ血のレベルに対応付けて前記記憶部に記憶された照射部を選択する選択部として機能させるためのプログラムである。
この構成によれば、コンピューターに、１つの照射装置に対する光量の調節をさせなくてもうっ血状態のレベルに応じた脈波の測定を行わせることができる。
【図面の簡単な説明】
【００１６】
【図１】本発明の実施形態に係る測定装置の全体構成を示すブロック図である。
【図２】パッド上における照射部と測定部との配置を示す図である。
【図３】対応表の一例を示す図である。
【図４】レベルデータベースの一例を示す図である。
【図５】脈波の交流成分と直流成分とを説明するための図である。
【図６】本発明の実施形態に係る測定装置の動作を説明するためのフロー図である。
【図７】うっ血のレベルに応じた脈波の測定を説明するための図である。
【図８】変形例における測定装置の全体構成を示す図である。
【図９】変形例におけるレベルデータベースの一例を示す図である。
【図１０】変形例における対応表の一例を示す図である。
【図１１】変形例におけるレベルデータベースの一例を示す図である。
【図１２】変形例における対応表の一例を示す図である。
【図１３】変形例における測定装置の一例を示す図である。
【図１４】変形例における対応表の一例を示す図である。
【図１５】変形例における照射部および測定部の配置の一例を示す図である。
【発明を実施するための形態】
【００１７】
１．実施形態
１−１．構成
図１は、本発明の実施形態に係る測定装置１の全体構成を示すブロック図である。第１照射部１７ａおよび第２照射部１７ｂ（以下、特に区別の必要がない場合は、これらを総称して「照射部１７」と記す）は、それぞれ決められた光量の光を照射する照射部であり、例えばＬＥＤ（Light Emitting Diode）などである。第２照射部１７ｂの光量は、第１照射部１７ａの光量よりも多い。第１スイッチ１６は、制御部１１の制御の下、いずれか一方の照射部１７により測定部位に光を照射するスイッチ（第１のスイッチ）である。測定部１５は、受けとった光の量に応じた電気信号を生成するセンサーであり、例えばフォトダイオードやフォトトランジスターなどの受光素子である。アンプ１４は、測定部１５により生成される電気信号を制御部１１が扱い易いように増幅する増幅器である。表示部１３は、液晶などを使用したディスプレイ装置であり、制御部１１からの指示に応じて画像を表示する。
【００１８】
照射部１７と測定部１５とは、腕などの測定部位に貼り付けるパッドＰ上に設けられる。図２は、このパッドＰ上における照射部１７と測定部１５との配置を示す図である。パッドＰは、腕などの測定部位に巻きつけるように柔軟性を持った布状の部材であり、樹脂などで構成されている。図２（ａ）に示すようにパッドＰには、中央の測定部１５を挟むように第１照射部１７ａと第２照射部１７ｂとが配置されている。測定部１５と第１照射部１７ａ、および測定部１５と第２照射部１７ｂの各距離はいずれもＬである。パッドＰを腕２に巻きつけたとき、図２（ｂ）に示すように２つの照射部１７から、腕２に含まれる測定部位２１までの各距離が等しくなるように、各照射部１７は配置され、また各照射部１７の角度（光を照射する方向の角度）は調節されている。
【００１９】
図１に示す制御部１１は、ＣＰＵ（Central Processing Unit）、ＲＯＭ（Read Only Memory）、ＲＡＭ（Random Access Memory）などを備え、制御部１１のＣＰＵが、ＲＯＭや記憶部１２に記憶されているコンピュータープログラム（以下、単に「プログラム」という）を読み出して実行することにより測定装置１の各部を制御する。例えば、制御部１１は、後述する判定部１１１、および選択部１１２として機能する。
【００２０】
記憶部１２は、ソリッドステートドライブ（ＳＳＤ：solid state drive）などの大容量の記憶手段であり、制御部１１に読み込まれるプログラムを記憶する。記憶部１２には、対応表１２１とレベルデータベース（図において「データベース」を「ＤＢ」と記述する）１２２とが記憶される。
【００２１】
図３は、対応表１２１の一例を示す図である。対応表１２１には、うっ血のレベルと照射部１７の識別情報とが対応付けられている。図３に示すように、うっ血のレベルが低い「安静」には、第１照射部１７ａが対応付けられている。また、うっ血のレベルが高い「うっ血」には、第１照射部１７ａの光量よりも多い光量の光を照射する第２照射部１７ｂが対応付けられている。
【００２２】
図４は、レベルデータベース１２２の一例を示す図である。レベルデータベース１２２には、うっ血のレベルを判定するための項目と、その項目についてうっ血のレベルが「安静」であると判断される範囲とが関連付けられている。項目には脈波から得られる様々な情報が記述されている。図５は、脈波の交流成分と直流成分とを説明するための図である。図５に示すように脈波波形は、交流成分と直流成分とを有する。脈波波形の交流成分は、主に生体情報を含んでおり、脈波波形の直流成分は、主にノイズ、迷光の情報を含んでいる。
【００２３】
すなわち、これらそれぞれの値やこれらの比などに対して、生体が安静であるときに取り得る値の範囲をレベルデータベース１２２は予め記述している。そして、これらの項目の値が測定部１５により測定されたとき、またはこれらの値に基づいて比などを算出したときに、測定されたその値や算出されたその比などとレベルデータベース１２２に記載された範囲とを比較することで、制御部１１は、生体のうっ血のレベルが安静であるか、安静でなくなったか（うっ血になったか）を判定する。つまり、制御部１１は、測定部位のうっ血のレベルを判定する判定部１１１として機能する。
【００２４】
なお、判定部１１１は、レベルデータベース１２２に記述された全ての項目が、それぞれに対応付けられている範囲内にあるときに「安静」と判断してもよいし、全ての項目が、対応付けられている範囲外にあるときに「うっ血」と判断してもよい。また、判定部１１１は、レベルデータベース１２２に記述された全ての項目のうち、予め決められた個数以上の項目が上記の範囲内にあるときに「安静」と判断してもよい。また、項目同士に上下を定めて上位にある項目が範囲内にあるときには、下位にある項目が範囲外であっても「安静」と判断するようにしてもよい。さらに、各項目に点数を定め、対応する範囲内にある項目の点数の合計が閾値以下であるか否かによって、うっ血のレベルが「安静」であるか否かを判断するようにしてもよい。この場合、点数の評価は合計に限られず、各項目について定まる点数を決められた関数に代入して評価してもよい。
【００２５】
判定部１１１が測定部位のうっ血のレベルを判定し、判定結果が「安静」から「うっ血」に変化したとすると、制御部１１は対応表１２１を参照して「うっ血」に対応付けられている第２照射部１７ｂを選択し、この第２照射部１７ｂに測定部位への光の照射をさせる。これにより測定装置１は、うっ血のレベルが「安静」から「うっ血」に変化した場合に、使用する照射部１７を切り替えて、照射する光の光量を増やす。すなわち、制御部１１は、判定部１１１が判定したうっ血のレベルに対応付けて対応表１２１に記憶された照射部を選択して、その照射部に測定部位への光の照射をさせる選択部１１２として機能する。
【００２６】
１−２．動作
図６は、本発明の実施形態に係る測定装置１の動作を説明するためのフロー図である。制御部１１は、測定部１５から出力されアンプ１４によって増幅された電気信号を読み取り、この電気信号とレベルデータベース１２２の内容とを比較することにより、うっ血のレベルを判定する（ステップＳ１）。そして、制御部１１は、うっ血のレベルに変化があったか否かを判断する（ステップＳ２）。うっ血のレベルに変化があったと判断した場合（ステップＳ２；ＹＥＳ）、制御部１１は、対応表１２１を参照し、変化後のうっ血のレベルに対応付けられている照射部１７を選択して、その照射部に測定部位へ光を照射させる（ステップＳ３）。なお、初期状態においてうっ血のレベルは「安静」でも「うっ血」でもない状態として設定されているため、測定装置１が起動されて初めてうっ血のレベルが判定されたとき、制御部１１は、うっ血のレベルに変化があったとしてこのステップＳ３を行う。
【００２７】
また、うっ血のレベルが「安静」から「うっ血」に変化したときや、「うっ血」から「安静」に変化したときには、制御部１１は、選択されなかった照射部１７への電力供給を止めるので、２つの照射部１７のうち、光を照射するのは１つである。
【００２８】
うっ血のレベルに変化がなかったと判断した場合（ステップＳ２；ＮＯ）、制御部１１は、図示しない操作部などを介してユーザーから測定終了の指示があったか否かを判断する（ステップＳ４）。測定終了の指示があったと判断した場合（ステップＳ４；ＹＥＳ）、制御部１１は測定の処理を終了する。測定終了の指示がなかったと判断した場合（ステップＳ４；ＮＯ）、制御部１１は処理をステップＳ１に戻す。
【００２９】
以上、説明した動作を行うことにより測定装置１は、うっ血のレベルに応じた脈波の測定を行うことができる。図７は、うっ血のレベルに応じた脈波の測定を説明するための図である。うっ血のレベルが安静であるとき、第１照射部１７ａによる普通の光量の光が照射されると、図７（ａ）に示すように測定可能な範囲である測定レンジに収まる脈波波形が得られる。一方、生体がうっ血になったときに、第１照射部１７ａから普通の光量の光が照射されると、図７（ｂ）に示すように脈波の振幅は、図７（ａ）に比べて小さくなってしまい、得られる情報が低下してノイズによる影響が多くなる。
【００３０】
測定装置１は、生体がうっ血になったことを判定すると、第１照射部１７ａよりも光量の多い第２照射部１７ｂに照射部１７を切り替えるので、一定の水準以上の情報を脈波から得られる。例えば、生体がうっ血になったとき、制御部１１が光を照射させる照射部１７を、第１照射部１７ａから第２照射部１７ｂに切り替えると図７（ｃ）に示したように、測定レンジに対して狭すぎず、かつ、測定レンジ内に収まるような脈波が得られる。
【００３１】
生体がうっ血の状態から安静の状態に戻ったとき、第２照射部１７ｂによる光の照射が続くと、第２照射部１７ｂの光量は第１照射部１７ａに比べて多いので、図７（ｄ）に示すように、得られる脈波が測定レンジを超えてしまうことがある。測定装置１は、生体が安静に戻ったことを判定すると第２照射部１７ｂよりも光量の少ない第１照射部１７ａに照射部１７を切り替えるので、得られる脈波が測定レンジを逸脱して情報が欠落するということが起こり難い。
【００３２】
さらに、測定装置１は、うっ血のレベルを判定すると、１つの照射装置が照射する光の光量を制御するのではなく、複数の照射部１７のうち、判定したレベルに対応した光量の光を照射する照射部１７を選択する。したがって測定装置１を用いると、光量を増減させるフィードバック制御とそのための回路が不要になり、フィードバック制御に伴って発生するノイズの影響がない。
【００３３】
２．変形例
以上が実施形態の説明であるが、この実施形態の内容は以下のように変形し得る。また、以下の変形例を組み合わせてもよい。
【００３４】
（１）うっ血のレベルの判定
上述した実施形態において、レベルデータベース１２２には、うっ血のレベルを判定するための項目とその項目についてうっ血のレベルが「安静」であると判断される範囲とが関連付けられており、その項目には、脈波から得られる情報が記述されていたが、この項目は脈波に由来するものに限られない。この項目には、例えば、体動を検知するセンサーの検知結果が含まれていてもよい。
【００３５】
図８は、この変形例における測定装置１ａの全体構成を示す図である。測定装置１ａは、体動を検知するセンサー１８を備えており、さらに記憶部１２ａには、レベルデータベース１２２に代えてレベルデータベース１２２ａが記憶されている。図９は、この変形例におけるレベルデータベース１２２ａの一例を示す図である。図９に示すように、レベルデータベース１２２ａには、項目としてセンサー１８により検知される測定部位の加速度や高さなどが、それぞれの「安静」と判断するための範囲と関連付けられている。制御部１１は、センサー１８により検知される体動の情報と、このレベルデータベース１２２ａの記述内容に基づいて、うっ血のレベルを判定する。そして、制御部１１は、判定したうっ血のレベルに対応する照射部１７を、対応表１２１を参照して選択し、選択した照射部１７により測定部位に光を照射させればよい。なお、センサー１８は、加速度や高さのほか、測定部位の移動方向や速度、傾きなどを検知してもよい。要するに、センサー１８は、測定部位の動作を検知すればよい。
【００３６】
（２）上述した実施形態において、うっ血のレベルは、「安静」と「うっ血」の２種類であったが、３種類以上であってもよい。この変形例における測定装置１ｂは、対応表１２１ｂとレベルデータベース１２２ｂとを記憶部１２に記憶している。図１０は、この変形例における対応表１２１ｂの一例を示す図である。また、図１１は、この変形例におけるレベルデータベース１２２ｂの一例を示す図である。この変形例において、うっ血のレベルは「虚血ＩＩ」「虚血Ｉ」「安静」「うっ血Ｉ」「うっ血ＩＩ」の５段階に区分されている。対応表１２１ｂにおいて、「安静」には、第１照射部１７ａが、「うっ血Ｉ」には第２照射部１７ｂがそれぞれ対応付けられている。また、対応表１２１ｂにおいて、「虚血ＩＩ」には、第５照射部１７ｅが、「虚血Ｉ」には、第４照射部１７ｄが、「うっ血ＩＩ」には、第３照射部１７ｃがそれぞれ対応付けられている。
【００３７】
図１０に示す対応表１２１ｂにおいて、うっ血のレベルは、「虚血ＩＩ」→「虚血Ｉ」→「安静」→「うっ血Ｉ」→「うっ血ＩＩ」の順に上昇する。そして、この対応表１２１ｂにおいて、照射する光の光量は、「第５照射部１７ｅ」→「第４照射部１７ｄ」→「第１照射部１７ａ」→「第２照射部１７ｂ」→「第３照射部１７ｃ」の順に多くなる。
【００３８】
この変形例において、レベルデータベース１２２ｂには、うっ血のレベルを判定するための項目が記述されており、各項目には、５段階に区分されたうっ血のレベルの範囲が対応付けて記述されている。制御部１１は、これらの項目の値が測定部１５などにより得られたとき、レベルデータベース１２２に記載された範囲と比較することで生体のうっ血のレベルを５段階のいずれかから特定する。そして、制御部１１は、対応表１２１ｂを参照し、特定したうっ血のレベルに対応する照射部１７を選択すればよい。これにより、測定装置１ｂはよりうっ血のレベルに応じて照射する光量をより細かく調整することができる。
【００３９】
（３）対応表における照射部の記述
上述した実施形態において、対応表１２１にはうっ血のレベルに対応付けて照射部の識別情報が記述されていたが、照射部を特定する情報として識別情報以外のものが記述されていてもよい。例えば、対応表１２１にはうっ血のレベルに対応付けて照射される光の光量が記述されていてもよい。図１２は、この変形例における対応表１２１ｃの一例を示す図である。図１２に示す対応表１２１ｃには、うっ血のレベルである「安静」に対応付けられる光量として「普通」が、「うっ血」に対応付けられる光量として「多い」がそれぞれ記述されている。制御部１１は、対応表１２１ｃを参照し、生体が「うっ血」となったときに、安静時よりも多い光量を照射するように照射部１７を制御すればよい。例えば、制御部１１は、安静時に照射部１７を１つだけ稼働させて光を照射させていたのであれば、うっ血状態になったときに２つ以上の照射部１７を稼働させて光を照射させればよい。
【００４０】
（４）照射部と測定部との組み合わせ
上述した実施形態において、測定装置１は測定部１５を１つだけ備えていたが、複数の測定部を備えていてもよい。また、選択部１１２は、判定部１１１によって判定されたうっ血のレベルに応じて照射部を選択していたが、うっ血のレベルに応じて照射部と測定部との組み合わせを選択してもよい。図１３は、この変形例における測定装置１ｄの一例を示す図である。測定装置１ｄは、第１測定部１５ａおよび第２測定部１５ｂ（以下、特に区別の必要がない場合は、これらを総称して「測定部１５」と記す）の２つの測定部１５と、これら測定部１５を切り替えるための第２スイッチ１６ｄとを具備する。第２スイッチ１６ｄは、制御部１１の制御の下、第１測定部１５ａおよび第２測定部１５ｂのいずれか一方を選択し、選択された測定部１５から出力される電気信号をアンプ１４に供給するスイッチ（第２のスイッチ）である。
【００４１】
また、測定装置１ｄは、記憶部１２に代えて記憶部１２ｄを具備し、記憶部１２ｄには対応表１２１に代えて対応表１２１ｄを、レベルデータベース１２２に代えてレベルデータベース１２２ｄをそれぞれ記憶している。なお、レベルデータベース１２２ｄは、図１１に示したレベルデータベース１２２ｂと同様、複数（この場合、４段階）に区分されたうっ血のレベルの範囲がそれぞれの項目ごとに対応付けて記述されているものであるため、説明を省略する。
【００４２】
図１４は、この変形例における対応表１２１ｄの一例を示す図である。第２測定部１５ｂは、第１測定部１５ａよりも感度が高い測定部である。対応表１２１ｄには、図１４に示すようにうっ血のレベルが「虚血」「安静」「うっ血Ｉ」「うっ血ＩＩ」の４段階に区分されて記述されている。うっ血のレベルは、「虚血」→「安静」→「うっ血Ｉ」→「うっ血ＩＩ」の順で高くなる。対応表１２１ｄには、「虚血」および「安静」に対応付けて照射部１７として第１照射部１７ａがそれぞれ記述されている。そして対応表１２１ｄには、「虚血」に対応する測定部１５として第１測定部１５ａが、「安静」に対応する測定部１５として第２測定部１５ｂがそれぞれ記述されている。
【００４３】
例えば、制御部１１は、対応表１２１ｄを参照し、うっ血のレベルが「安静」から「虚血」に変化したことを判定したときに、照射部１７を変えず、測定部１５を第２測定部１５ｂから第１測定部１５ａへ変更する。「安静」の状態から「虚血」の状態に変化すると、測定部位の血液が欠乏するので、照射された光のうち生体を透過する光の量が増加する。したがってこの場合、選択部１１２は、「安静」のときに使用していた第２測定部１５ｂよりも感度の低い第１測定部１５ａを使用することによって、増加した光量が測定可能な範囲である測定レンジを超えないようにする。
【００４４】
また、対応表１２１ｄには、うっ血のレベルが「安静」から「うっ血Ｉ」に変化したことを判定したときに、照射部１７を第１照射部１７ａから第２照射部１７ｂに変えるとともに、測定部１５を第２測定部１５ｂから第１測定部１５ａに変える。生体がうっ血してくると、測定部位における血液量が増加する。そして血液量が増加すると、照射された光のうち生体を透過する光の量は減少するので、測定部位により多くの光量を照射する必要が生じる。そこで、選択部１１２は、第１照射部１７ａよりも光量の多い第２照射部１７ｂを選択し、第２照射部１７ｂによって測定部位に光を照射させる。しかし、第２照射部１７ｂを使用すると、第１照射部１７ａよりも光量が増加するために、第２測定部１５ｂの感度ではその光量が測定レンジ外になる可能性がある。そこで、選択部１１２は、第２測定部１５ｂよりも感度の低い第１測定部１５ａを用いることで、測定される光の光量を測定レンジ内に収める。このように、測定装置１ｄは、うっ血のレベルに応じて照射部１７と測定部１５の組み合わせを選択する。そしてこの組み合わせの数は、照射する光の光量が異なる照射部１７の数と、感度の異なる測定部１５の数の積に相当するため、この測定装置１ｄは、うっ血の状態について、より細かく区分けされたレベルに応じた測定を行うことができる。
【００４５】
なお、この変形例において測定装置１ｄに備えられた照射部１７と測定部１５は、パッドＰｄ上に設けられている。そして、このパッドＰｄ上において、２つの照射部１７はいずれも、２つの測定部１５とそれぞれ同じ距離に位置するように配置されていてもよい。図１５は、この変形例における照射部１７および測定部１５の配置の一例を示す図である。図１５に示すように、第１照射部１７ａは、第１測定部１５ａとの距離および第２測定部１５ｂとの距離がいずれもＬ２となる位置に設けられている。これにより、第１照射部１７ａから照射された光が測定部位を介して第１測定部１５ａに至るまでの距離と、第２測定部１５ｂに至るまでの距離とは等しくなる。
【００４６】
また、第２照射部１７ｂも、第１測定部１５ａとの距離および第２測定部１５ｂとの距離がいずれもＬ２となる位置に設けられている。これにより、第２照射部１７ｂから照射された光が測定部位を介して第１測定部１５ａに至るまでの距離と、第２測定部１５ｂに至るまでの距離とは等しくなる。このように、光路の距離が等しくなるようにすることで、測定の誤差が低減される。
【００４７】
（５）プログラム
測定装置１の制御部１１によって実行されるプログラムは、磁気テープや磁気ディスクなどの磁気記録媒体、光ディスクなどの光記録媒体、光磁気記録媒体、半導体メモリーなどの、コンピューター装置が読み取り可能な記録媒体に記憶された状態で提供し得る。また、このプログラムを、インターネットのようなネットワーク経由でダウンロードさせることも可能である。なお、上記の制御部１１によって例示した制御手段としてはＣＰＵ以外にも種々の装置が適用される場合があり、例えば、専用のプロセッサーなどが用いられる。
【符号の説明】
【００４８】
１，１ａ，１ｂ，１ｄ…測定装置、１１…制御部、１１１…判定部、１１２…選択部、１２，１２ａ，１２ｄ…記憶部、１２１，１２１ｂ，１２１ｃ，１２１ｄ…対応表、１２２，１２２ａ，１２２ｂ，１２２ｄ…レベルデータベース、１３…表示部、１４…アンプ、１５…測定部、１５ａ…第１測定部、１５ｂ…第２測定部、１６…第１スイッチ、１６ｄ…第２スイッチ、１７…照射部、１７ａ…第１照射部、１７ｂ…第２照射部、１７ｃ…第３照射部、１７ｄ…第４照射部、１７ｅ…第５照射部、１８…センサー、２…腕、２１…測定部位。
【図１】
2013118922.tif 000003
【図２】
2013118922.tif 000004
【図３】
2013118922.tif 000005
【図４】
2013118922.tif 000006
【図５】
2013118922.tif 000007
【図６】
2013118922.tif 000008
【図７】
2013118922.tif 000009
【図８】
2013118922.tif 000010
【図９】
2013118922.tif 000011
【図１０】
2013118922.tif 000012
【図１１】
2013118922.tif 000013
【図１２】
2013118922.tif 000014
【図１３】
2013118922.tif 000015
【図１４】
2013118922.tif 000016
【図１５】
2013118922.tif 000017